【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
第１の端末と第２の端末との間で、アプリケーションとは独立してアプリケーションのセッション状態を共有する方法であって、
前記第１の端末が、前記第１の端末にて実行中の第１アプリケーションのセッション状態を取得するステップと、
前記第１の端末が、中央記憶装置に前記セッション状態を提供するステップと、
中央記憶装置が、前記第１の端末にて提供された前記セッション状態を保存するステップと、
前記第２の端末が、前記中央記憶装置から前記セッション状態を取り出すステップと、
前記第２の端末が、前記第２の端末で実行される第２アプリケーションを前記セッション状態に復元するステップと
を有するセッション状態共有方法。
【請求項２】
前記第１の端末は、アプリケーションの移送を行う第１の移送サービスエージェントを有し、
前記第１の端末が、ユーザから前記第１の移送サービスエージェントへのログインを受け付けるステップと更に有する
ことを特徴とする請求項１に記載のセッション状態共有方法。
【請求項３】
前記第１の端末は、前記第１の移送サービスエージェントを実行することにより前記セッション状態を取得する
ことを特徴とする請求項１に記載のセッション状態共有方法。
【請求項４】
前記中央記憶装置に保存されている前記セッション状態は、前記第１の端末のユーザに関連付けられた前記中央記憶装置のデータベースに保存されることを特徴とする請求項１に記載のセッション状態共有方法。
【請求項５】
前記第２の端末は、アプリケーションの移送を行う第２の移送サービスエージェントを有し、
前記第２の移送サービスエージェントは、前記第２の端末と前記中央記憶装置との間におけるアクセスネットワーク接続を使うことにより、前記セッション状態を取得する
ことを特徴とする請求項１に記載のセッション状態共有方法。
【請求項６】
前記第２の移送サービスエージェントは、前記第２アプリケーションのセッション状態を前記セッション状態に復元する
ことを特徴とする請求項５に記載のセッション状態共有方法。
【請求項７】
各セッションを識別するためのセッション名を、前記セッション状態に付加するステップを更に有する
ことを特徴とする請求項１に記載のセッション状態共有方法。
【請求項８】
中央記憶装置を介して第１の端末と第２の端末との間でアプリケーションを移送するシステムであって、
前記第１の端末は、
第１アプリケーションを実行する手段と、
アプリケーションとは独立した、該実行中のアプリケーションのセッション状態を取得し、前記中央記憶装置に送信する第１の移送サービスエージェントと、
を有し、
前記第２の端末は、
前記中央記憶装置から前記セッション状態を取得する手段と、
前記第２の端末で実行される第２アプリケーションを前記セッション状態に復元する手段と
を有する
ことを特徴とするアプリケーション移送システム。
【請求項９】
前記中央記憶装置において、前記第１アプリケーションのセッション状態は、前記第１の端末のユーザに関連付けられたデータベースに保存される
ことを特徴とする請求項８に記載のアプリケーション移送システム。
【請求項１０】
前記第１の移送サービスエージェントは、前記第１の端末と前記中央記憶装置とをつなぐアクセスネットワーク接続を使用して、前記セッション状態を取得する
ことを特徴とする請求項８に記載のアプリケーション移送システム。
【請求項１１】
各セッションを識別するためのセッション名を、前記セッション状態に付加する
ことを特徴とする請求項８に記載のアプリケーション移送システム。
【請求項１２】
第１の端末と第２の端末との間で、アプリケーションとは独立して、アプリケーションのセッション状態を共有する方法であって、
前記第１の端末が、アプリケーションプロバイダから第１のアプリケーションコード形式のアプリケーションをダウンロードするステップと、
前記第１の端末が、前記アプリケーションを実行するステップと、
前記第１の端末が、前記アプリケーションのセッション状態を取得して中央記憶装置に提供するステップと、
前記中央記憶装置が、前記セッション状態を保存するステップと、
前記第２の端末が、前記アプリケーションプロバイダから第２のアプリケーションコード形式の前記アプリケーションをダウンロードするステップと、
前記第２の端末が、前記中央記憶装置から前記セッション状態を取得するステップと、
前記第２の端末が、前記第２のアプリケーションコード形式の前記アプリケーションを前記セッション状態に復元するステップと
を有するセッション状態共有方法。
【請求項１３】
前記第１の端末は、アプリケーションの移送を行う第１移送サービスエージェントを有し、
前記第１の移送サービスエージェントによって前記セッション状態の取得が行われる
ことを特徴とする請求項１２に記載のセッション状態共有方法。
【請求項１４】
前記第２の端末は、アプリケーションの移送を行う第２移送サービスエージェントを有し、前記第２移送サービスエージェントによって前記セッション状態の復元が行われる
ことを特徴とする請求項１２に記載のセッション状態共有方法。
【請求項１５】
前記中央記憶装置において、前記セッション状態は、前記第１の端末のユーザに関連付けられたデータベースに保存される
ことを特徴とする請求項１２に記載のセッション状態共有方法。
【請求項１６】
前記第２の端末は、アプリケーションの移送を行う第２移送サービスエージェントを有し、前記第２移送サービスエージェントは、前記セッション状態を、前記第２の端末と前記中央記憶装置との間のアクセスネットワーク接続を使うことにより、前記第２の端末へダウンロードする
ことを特徴とする請求項１２に記載のセッション状態共有方法。
【請求項１７】
セッションを識別するためのセッション名を、前記セッション状態に付与するステップを更に有する
ことを特徴とする請求項１６に記載のセッション状態共有方法。
【請求項１８】
アプリケーションプロバイダおよびレポジトリサーバを用いて、第１の端末から第２の端末へアプリケーションを移送するシステムであって、
前記アプリケーションプロバイダは、第１アプリケーションコード形式のアプリケーションを記憶する手段を有し、
前記第１の端末は、
前記アプリケーションプロバイダから前記アプリケーションをダウンロードする手段と、
前記アプリケーションの実行中に、前記アプリケーションのセッション状態を取得する第１の移送サービスエージェントと、
を有し、
前記レポジトリサーバは、前記第１の移送サービスエージェントからの要求に応じて、前記第１のアプリケーションコード形式の前記アプリケーションのセッション状態を記憶する手段を有し、
前記第２の端末は、前記アプリケーションプロバイダと前記レポジトリサーバとに接続して前記アプリケーションの移送を行う第２移送サービスエージェントを有し、
前記第２移送サービスエージェントは、前記アプリケーションプロバイダから第２のアプリケーションコード形式の前記アプリケーションをダウンロードし、前記第２のアプリケーションコード形式の前記アプリケーションを前記セッション状態にて起動する
ことを特徴とするアプリケーション移送システム。
【請求項１９】
アプリケーションの移送サービスを実行する移送サービスエージェントを有する端末装置であって、
前記移送サービスエージェントは、
セッション中の第１アプリケーションの終了を検知する手段と、
前記第１アプリケーションの終了が検知されたとき、前記第１アプリケーションのセッション状態を取得して中央記憶装置に送信する手段と、
前記中央記憶装置からセッション状態を受信する手段と、
第２のアプリケーションを、前記受信したセッション状態に復元する手段と、
を有することを特徴とする端末装置。